(57)【要約】【課題】  導通不良を防止した電源端子を提供する。【解決手段】  第１電極および第２電極を有するＡＣアダプタが接続される電源端子において、板状の第１板部１１ａを有する第１接点端子１ａと、板状の第２板部１１ｂを有する第１接点端子１ｂとを備える。第１板部１１ａは、表面から突出するように形成された第１突起部４１ａを有し、第２板部１１ｂは、表面から突出するように形成された第２突起部４１ｂおよび第３突起部４１ｃを有する。ＡＣアダプタが接続される時に、第１突起部４１ａ、第２突起部４１ｂおよび第３突起部４１ｃが、この順に第１電極または第２電極に接触するように形成されている。【選択図】        図１
2006221927.tif 000002
【特許請求の範囲】
【請求項１】
第１電極および第２電極を表面に含む箱型のＡＣアダプタとの接続を行なうための電源端子を備えるプリンタ装置において、
前記電源端子は、前記第１電極と接続される第１接点端子と、前記第２電極と接続される第２接点端子とを含み、
前記第１接点端子および前記第２接点端子は、それぞれの側面形状がほぼＶ字形になるように形成され、
前記第１接点端子は、先端部分に平板状の第１板部を有し、
前記第２接点端子は、先端部分に平板状の第２板部を有し、
前記第１板部は、表面から突出するように形成された第１突起部を有し、
前記第２板部は、表面から突出するように形成された第２突起部および第３突起部を有し、
前記第１突起部、前記第２突起部および前記第３突起部は、突出する高さが互いにほぼ同じになるように形成され、
前記第１突起部、前記第２突起部および前記第３突起部は、前記ＡＣアダプタが前記電源端子に挿入される時に、前記第１突起部、前記第２突起部および前記第３突起部が、この順に前記第１電極または前記第２電極に接触するように配置され、
前記ＡＣアダプタを前記電源端子に接続するときに、前記第２電極と前記第２突起部との間に突入電流が流れて前記第２突起部が損傷しても、前記第３突起部と前記第２電極とが接触することにより導通が確保されるように形成された、プリンタ装置。
【請求項２】
第１電極および第２電極を有する電源供給手段が接続される電源端子において、
板状の第１板部を有する第１接点端子と、
板状の第２板部を有する第２接点端子と
を備え、
前記第１板部は、表面から突出するように形成された第１突起部を有し、
前記第２板部は、表面から突出するように形成された第２突起部および第３突起部を有し、
前記電源供給手段が接続される時に、前記第１突起部、前記第２突起部および前記第３突起部が、この順に前記第１電極または前記第２電極に接触するように形成された、電源端子。
【請求項３】
第１電極および第２電極を有する電源供給手段が接続される電源端子において、
板状の第１板部を有する第１接点端子と、
板状の第２板部を含む第２接点端子と
を備え、
前記第１板部は、表面から突出するように形成された第１突起部および第３突起部を有し、
前記第２板部は、表面から突出するように形成された第２突起部および第４突起部を有し、
前記電源供給手段が接続される方向において、前記第１突起部と前記第２突起部とがほぼ同じ位置に配置され、前記第３突起部と前記第４突起部とがほぼ同じ位置に配置された、電源端子。
【請求項４】
前記第１接点端子および前記第２接点端子は、側面形状がほぼＶ字形になるように形成され、
前記第１接点端子は、前記Ｖ字形の端部に前記第１板部を有し、
前記第２接点端子は、前記Ｖ字形の端部に前記第２板部を有し、
前記第１接点端子および前記第２接点端子は、前記Ｖ字形の尖端部が外側を向くように配置された、請求項２または３に記載の電源端子。
【発明の詳細な説明】
【技術分野】
【０００１】
本発明は、電源端子およびこれを備えたプリンタ装置に関する。
【背景技術】
【０００２】
電気機器には、コンセントからの交流の電気を直流に変換して、電気機器本体に供給するアダプタを備えるものがある。たとえば、ＡＣ（Alternating Current）アダプタと言われる変換アダプタは、交流から直流へ変換してさらに電圧変換を行なう装置である。
【０００３】
図１０に、電気機器の本体と、本体に接続されるＡＣアダプタの概略斜視図を示す。この電気機器は、筐体２５を備え、筐体２５の背面の下部に開口部３９が形成されている。開口部３９の内部には、受電するための電源端子が形成されている。電源端子は、第１接点端子３１および第２接点端子３２を含む。
【０００４】
ＡＣアダプタ２３には、コンセントに接続されるための電源コード２６が接続され、ＡＣアダプタ２３の内部に電気回路が形成されている。ＡＣアダプタ２３の表面には、第１電極２１および第２電極２２が形成されている。第１電極２１は、ＡＣアダプタ２３が矢印５１に示すように開口部３９の内部に配置されたときに、第１接点端子３１と接触する位置に配置されている。また、第２電極２２は、ＡＣアダプタ２３が開口部３９の内部に配置されたときに、第２接点端子３２と接触する位置に配置されている。
【０００５】
図１１に、ＡＣアダプタを開口部に挿入するときの概略断面図を示す。電気機器の本体に配置された第１接点端子３１および第２接点端子は、側面から見たときに、ほぼＶ字形に形成されている。また、第１接点端子３１および第２接点端子は、第１電極２１が接触する部分に、表面から突出するように突起部３３が形成されている。第１電極２１は、第１接点端子３１の突起部３３に接触する。また、第２電極は、第２接点端子に形成された突起部に接触する。
【０００６】
図１２に、従来の技術に基づく電源端子の概略斜視図を示す。第１接点端子３１と第２接点端子３２とは同じ形状に形成されている。突起部３３は、長手方向を有するように形成され、長手方向がＡＣアダプタの挿入方向とほぼ平行になるように形成されている。
【０００７】
特開平６−１７６８２１号公報においては、電源コネクタとは別に電気接点を設けた電源接続装置が開示されている。電気接点は、装置に未接続の状態では常に遮断状態であり、装置の電源コネクタが接続された後に初めて導通可能なように形成されている。この電源接続装置によれば、電源の接続時の突入電流によるアーク放電を電源コネクタで発生することを防止でき、電源コネクタの寿命を飛躍的に延ばすことが可能になると開示されている。
【特許文献１】特開平６−１７６８２１号公報
【発明の開示】
【発明が解決しようとする課題】
【０００８】
図１０から図１２に示した従来の技術における電源端子においては、ＡＣアダプタを電気機器本体に挿入するときに、ＡＣアダプタに形成された電極と、電気機器の本体に形成された電源端子との間で突入電流が流れることがあり、電源端子の表面が損傷してしまうという問題があった。たとえば、接点端子の表面に形成された被膜が剥離してしまったり、接点端子の突起部の表面に凹凸ができてしまって接触抵抗が増えるという問題があった。この結果、電気機器本体の電源端子とＡＣアダプタの電極との間に導通不良が生じるという問題があった。
【０００９】
上記の特開平６−１７６８２１号公報においては、電源コネクタとは別に電気接点を設けて、電気接点を別の機構により駆動しているため、構造が複雑であるという問題がある。
【００１０】
本発明は、上記の問題点を解決するためになされたものであり、導通不良を防止した電源端子およびこれを備えたプリンタ装置を提供することを目的とする。
【課題を解決するための手段】
【００１１】
本発明に基づくプリンタ装置は、第１電極および第２電極を表面に含む箱型のＡＣアダプタとの接続を行なうための電源端子を備えるプリンタ装置において、上記電源端子は、上記第１電極と接続される第１接点端子と、上記第２電極と接続される第２接点端子とを含む。上記第１接点端子および上記第２接点端子は、それぞれの側面形状がほぼＶ字形になるように形成されている。上記第１接点端子は、先端部分に平板状の第１板部を有し、上記第２接点端子は、先端部分に平板状の第２板部を有する。上記第１板部は、表面から突出するように形成された第１突起部を有し、上記第２板部は、表面から突出するように形成された第２突起部および第３突起部を有する。上記第１突起部、上記第２突起部および上記第３突起部は、突出する高さが互いにほぼ同じになるように形成され、上記第１突起部、上記第２突起部および上記第３突起部は、上記ＡＣアダプタが上記電源端子に挿入される時に、上記第１突起部、上記第２突起部および上記第３突起部が、この順に上記第１電極または上記第２電極に接触するように配置されている。上記ＡＣアダプタを上記電源端子に接続するときに、上記第２電極と上記第２突起部との間に突入電流が流れて上記第２突起部が損傷しても、上記第３突起部と上記第２電極とが接触することにより導通が確保されるように形成されている。この構成を採用することにより、導通不良を防止した電源端子を備えるプリンタ装置を提供することができる。
【００１２】
本発明に基づく電源端子は、第１電極および第２電極を有する電源供給手段が接続される電源端子において、板状の第１板部を有する第１接点端子と、板状の第２板部を有する第２接点端子とを備える。上記第１板部は、表面から突出するように形成された第１突起部を有し、上記第２板部は、表面から突出するように形成された第２突起部および第３突起部を有する。上記電源供給手段が接続される時に、上記第１突起部、上記第２突起部および上記第３突起部が、この順に上記第１電極または上記第２電極に接触するように形成されている。
【００１３】
または、本発明に基づく電源端子は、第１電極および第２電極を有する電源供給手段が接続される電源端子において、板状の第１板部を有する第１接点端子と、板状の第２板部を含む第２接点端子とを備える。上記第１板部は、表面から突出するように形成された第１突起部および第３突起部を有し、上記第２板部は、表面から突出するように形成された第２突起部および第４突起部を有する。上記電源供給手段が接続される方向において、上記第１突起部と上記第２突起部とがほぼ同じ位置に配置され、上記第３突起部と上記第４突起部とがほぼ同じ位置に配置されている。これらのうちいずれかの構成を採用することにより、導通不良を防止した電源端子を提供することができる。
【００１４】
上記発明において好ましくは、上記第１接点端子および上記第２接点端子は、側面形状がほぼＶ字形になるように形成され、上記第１接点端子は、上記Ｖ字形の端部に上記第１板部を有し、上記第２接点端子は、上記Ｖ字形の端部に上記第２板部を有する。上記第１接点端子および上記第２接点端子は、上記Ｖ字形の尖端部が外側を向くように配置されている。この構成を採用することにより、容易な構成で上記電源端子を提供することができる。さらに、上記電源端子に弾力性を付与することができる。
【発明の効果】
【００１５】
本発明によれば、導通不良を防止した電源端子およびこれを備えたプリンタ装置を提供することができる。
【発明を実施するための最良の形態】
【００１６】
（実施の形態１）
図１から図３および図１０を参照して、本発明に基づく実施の形態１における電源端子およびプリンタ装置について説明する。
【００１７】
本実施の形態におけるプリンタ装置は、インクジェット方式のプリンタ装置である。本実施の形態におけるプリンタ装置は、インクヘッドを備え、インクヘッドから各色のインクを噴射することにより被印刷物に印刷を行なうように形成されている。電源は、インクヘッドを駆動したり、被印刷物を搬送したりするために用いられる（図示せず）。本実施の形態におけるプリンタ装置は、電源供給手段として、プリンタ装置本体の電源端子に接続されるＡＣアダプタを備える。
【００１８】
図１０を参照して、プリンタ装置の筐体２５の背面側には開口部３９が形成され、開口部３９に、ＡＣアダプタ２３が矢印５１に示す向きに挿入される。ＡＣアダプタ２３の表面には、主表面が露出するように第１電極２１および第２電極２２が形成されている。第１電極２１および第２電極２２は、矢印５１に示す挿入方向に平行な長手方向を有する。
【００１９】
ＡＣアダプタ２３は、電源コード２６に接続されている。電源コード２６は、コンセントに接続される。コンセントからの電気は、ＡＣアダプタ２３の内部の電気回路によって電圧が変換される。プリンタ装置の開口部の内部には、プリンタ装置に電気を供給するための電源端子が配置されている。
【００２０】
図１に、本実施の形態における電源端子の概略斜視図を示す。本実施の形態における電源端子は、ＡＣアダプタの第１電極と接続される第１接点端子１ａと、ＡＣアダプタの第２電極と接続される第２接点端子１ｂを備える。接続されるＡＣアダプタは、矢印５１に示す向きに挿入される。
【００２１】
第１接点端子１ａおよび第２接点端子１ｂは、それぞれの側面形状がほぼＶ字形になるように形成されている。第１接点端子１ａは、先端部分に平板状の第１板部１１ａを有する。第２接点端子１ｂは、先端部分に平板状の第２板部１１ｂを有する。第１板部１１ａは、表面から突出するように形成された第１突起部４１ａを有する。第２板部１１ｂは、表面から突出するように形成された第２突起部４１ｂおよび第３突起部４１ｃを有する。
【００２２】
第１突起部４１ａ、第２突起部４１ｂおよび第３突起部４１ｃは、それぞれが板部の表面から球状に突出するように形成されている。第１突起部４１ａ、第２突起部４１ｂおよび第３突起部４１ｃは、それぞれの接点端子の幅方向のほぼ中央部に配置されている。
【００２３】
図２に、本実施の形態における電源端子の概略平面図を示す。第１接点端子１ａは、ＡＣアダプタ２３の第１電極２１と接触するように配置されている。第２接点端子１ｂは、ＡＣアダプタ２３の第２電極２２と接触するように配置されている。第１接点端子１ａおよび第２接点端子１ｂは、それぞれの長手方向が第１電極２１の長手方向および第２電極２２の長手方向と平行になるように形成されている。第１板部１１ａおよび第２板部１１ｂは、平面視したときの大きさがほぼ同じ大きさになるように形成されている。
【００２４】
矢印５１に、第１接点端子１ａおよび第２接点端子１ｂを平面視したときの、ＡＣアダプタ２３の挿入方向を示す。ＡＣアダプタ２３が挿入される方向において、第１突起部４１ａ、第２突起部４１ｂおよび第３突起部４１ｃがこの順に並ぶように配置されている。
【００２５】
図２においては、第１突起部４１ａの位置を通って矢印５１に示す方向に垂直な線６１の下側に第２突起部４１ｂおよび第３突起部４１ｃがこの順に形成されている。換言すると、ＡＣアダプタ２３が、電源端子に接続されるときに、第１突起部４１ａ、第２突起部４１ｂおよび第３突起部４１ｃが、この順に第１電極２１または第２電極２２に接触するように配置されている。
【００２６】
図３に、プリンタ装置の本体の開口部の概略断面図を示す。第１板部１１ａに形成された第１突起部４１ａ、第２板部に形成された第２突起部４１ｂおよび第３突起部４１ｃは、それぞれの形状が球状に形成され、それぞれの板部の表面からの高さがほぼ同じになるように形成されている。
【００２７】
ＡＣアダプタ２３は、矢印５１に示す向きに開口部３９に挿入される。ＡＣアダプタは、第１接点端子１ａと第２接点端子とが配列する方向に対して垂直な方向に挿入される。
【００２８】
図２および図３を参照して、ＡＣアダプタ２３は、第１電極２１が第１接点端子１ａに形成された第１突起部４１ａに接触する。次に、第２電極２２が、第２接点端子１ｂに形成された第２突起部４１ｂに接触する。さらに、第２電極２２が、第２接点端子１ｂに形成された第３突起部４１ｃに接触する。このように、プリンタ装置の本体の電源端子と、ＡＣアダプタ２３とが電気的に接続される。
【００２９】
導通が達成される瞬間、すなわち、第２電極２２と第２突起部４１ｂとが接触する瞬間に突入電流が流れる場合がある。突入電流が流れることによって、第２突起部４１ｂの表面が損傷する場合がある。この結果、第２突起部４１ｂと第２電極２２との十分な導通が確保できなくなる場合が生じる。
【００３０】
しかしながら、本実施の形態における電源端子は、第２接点端子１ｂに第３突起部４１ｃが形成されているため、第３突起部４１ｃと第２電極２２とが接触することによって、良好な導通を行なうことができる。すなわち、電源端子において、一の突起部が損傷したとしても導通不良を防止することができる。
【００３１】
本実施の形態においては、第１接点端子１ａと第２接点端子とは、側面形状がほぼＶ字形になるように形成されている。第１接点端子１ａおよび第２接点端子は、側面形状のＶ字形の尖った尖端部が外側を向くように配置されている。図３においては、尖端部が右側を向かうように形成されている。この構成を採用することにより、電源端子の構成を容易にすることができる。また、第１接点端子および第２接点端子に、弾力性を持たせることができ、第１電極および第２電極に対して第１接点端子１ａまたは第２接点端子１ｂを圧接させることができる。この結果、より良好な導通を行なうことができる。
【００３２】
本実施の形態における接点端子の突起部は、接点端子をプレス加工することによって形成できる。たとえば、１枚の導板のプレス加工を行なって、１つまたは複数の突起部を形成した後に折り曲げて接点端子を形成することができる。または、突起部は、平面的な基板の表面に導電性部材を接合しても形成することができる。
【００３３】
本実施の形態における電源端子は、接点端子が板状の部材から形成されているが、この形態に限られず、任意の形状の接点端子に本願発明を適用することができる。たとえば、角柱状の接点端子に本発明に係る突起部を形成しても構わない。
【００３４】
本実施の形態においては、ＡＣアダプタに第１電極および第２電極が形成されているが、この形態に限られず、電気回路を含む部分とは別にコネクタが形成され、このコネクタに第１電極および第２電極が配置されていても構わない。この場合には、第１電極および第２電極が形成されたコネクタが、プリンタ装置の開口部に挿入される。
【００３５】
さらに、本実施の形態においては、本発明における電源端子が、電気機器の本体に配置されているが、この形態に限られず、本発明における電源端子がＡＣアダプタに配置されていても構わない。または、本発明における電源端子が電気機器の本体に接続されるコネクタに配置されていても構わない。
【００３６】
本実施の形態においては、電気機器のうちプリンタ装置を例に取り挙げて説明したが、この形態に限られず、任意の電気機器に本発明を適用することができる。
【００３７】
（実施の形態２）
図４から図９を参照して、本発明に基づく実施の形態２における電源端子およびプリンタ装置について説明する。
【００３８】
図４は、本実施の形態における第１の電源端子の概略斜視図である。第１の電源端子は、第１接点端子２ａおよび第２接点端子２ｂを含み、第１接点端子２ａおよび第２接点端子２ｂの側面形状がほぼＶ字形に形成され、さらに、Ｖ字形の端部にそれぞれ第１板部１２ａまたは第２板部１２ｂが形成されていることは、実施の形態１と同様である。
【００３９】
本実施の形態における第１の電源端子においては、第１板部１２ａに第１突起部４２ａおよび第３突起部４２ｃが形成されている。また、第２板部１２ｂに第２突起部４２ｂおよび第４突起部４２ｄが形成されている。
【００４０】
図５に、本実施の形態における第１の電源端子の概略平面図を示す。第１板部１２ａおよび第２板部１２ｂは、平面視したときの大きさがほぼ同じ大きさになるように形成されている。矢印５１は、ＡＣアダプタが挿入される向きを示す。
【００４１】
ＡＣアダプタが挿入される方向において、第１突起部４２ａと第２突起部４２ｂとが同じ位置に配置されている。すなわち、矢印５１に垂直な線６２上に、第１突起部４２ａおよび第２突起部４２ｂが配置されている。また同様に、第３突起部４２ｃと第４突起部４２ｄとは、矢印５１に示す方向において同じ位置に配置されている。矢印５１に垂直な線６３上に、第３突起部４２ｃおよび第４突起部４２ｄが配置されている。
【００４２】
第１突起部４２ａと第３突起部４２ｃとは、第１板部１２ａの表面からの高さほぼ同じになるように形成され、第２突起部４２ｂと第４突起部４２ｄとは、第２板部１２ｂの表面からの高さがほぼ同じ高さになるように形成されている。
【００４３】
本実施の形態においては、第１板部１２ａの平面形状が四角形になるように形成され、この四角形の対角線上に第１突起部４２ａおよび第３突起部４２ｃが配置されている。また、第２板部１２ｂにおいても同様に、平面形状の四角形の対角線上に第２突起部４２ｂおよび第４突起部４２ｄが配置されている。
【００４４】
図５を参照して、ＡＣアダプタが矢印５１に示す向きに挿入されるときには、第１突起部４２ａおよび第２突起部４２ｂのうち、一方の突起部にＡＣアダプタの第１電極または第２電極が接触する。次に、他方の突起部が第１電極または第２電極に接触する。または、第１突起部４２ａおよび第２突起部４２ｂが、同時にＡＣアダプタの電極に接触する。
【００４５】
ＡＣアダプタを接続するときに、第１突起部４２ａまたは第２突起部４２ｂのいずれか一方が突入電流により破損したとしても、第３突起部４２ｃまたは第４突起部４２ｄにおいて導通を行なうことができ、電源端子とＡＣアダプタの電極との導通不良を防止することができる。
【００４６】
このように、本実施の形態の第１の電源端子においては、電源供給手段が接続される方向において、第１突起部４２ａと、第２突起部４２ｂとがほぼ同じ位置に配置され、第３突起部４２ｃおよび第４突起部４２ｄとがほぼ同じ位置に配置されることによって、一の突起部が破損したとしても導通不良を防止することができる。
【００４７】
図６に、本実施の形態における第２の電源端子の平面図を示す。第２の電源端子においては、第１接点端子３ａの第１板部１３ａの表面に、第１突起部４３ａが形成されている。また、第２接点端子３ｂの第２板部１３ｂの表面に、第２突起部４３ｂ、第３突起部４３ｃおよび第４突起部４３ｄが形成されている。
【００４８】
第２突起部４３ｂ、第３突起部４３ｃ、および第４突起部４３ｄは、それぞれの第２板部１３ｂの表面からの高さがほぼ同じになるように形成され、ＡＣアダプタが挿入される矢印５１に示す向きにおいて、この順に配列するように形成されている。
【００４９】
または、第１突起部４３ａよりも第２突起部４３ｂの方が後に、ＡＣアダプタの電極に接触するように配置されている。図６においては、第１突起部４３ａを通って、矢印５１に示す向きに垂直な線６４の下側に、第２突起部４３ｂが配置されている。このように、突起部が後に接触する側の接点端子に３以上の突起部が形成されていても構わない。
【００５０】
第２の電源端子においては、ＡＣアダプタを電源端子に接続するとき、はじめに第１突起部４３ａがＡＣアダプタの電極に接触する。次に、第２突起部４３ｂがＡＣアダプタの電極に接触する。第２突起部４３ｂが、突入電流によって損傷する場合があるが、第３突起部４３ｃが、ＡＣアダプタの電極と接触することにより、導通を確保することができる。
【００５１】
さらに、本実施の形態の第２の電源端子においては、第２突起部４３ｂおよび第３突起部４３ｃの両方が突入電流などにより損傷したとしても、第４突起部４３ｄが、ＡＣアダプタの電極と接触することにより導通を確保することができる。
【００５２】
図７に、本実施の形態における第３の電源端子の概略斜視図を示す。第３の電源端子は、第１接点端子４ａおよび第２接点端子４ｂを備える。第１接点端子４ａは、第１板部１４ａを含み、第２接点端子４ｂは、第２板部１４ｂを含む。第１板部１４ａおよび第２板部１４ｂは、側面形状が緩やかに湾曲するように形成されている。第１板部１４ａおよび第２板部１４ｂは、側面形状においてＡＣアダプタの電極に向かう側に凸になるように（山形になるように）形成されている。
【００５３】
第１突起部４４ａ、第２突起部４４ｂおよび第３突起部４４ｃは、表面から突出するように形成されている。さらに、矢印５１に示すＡＣアダプタが挿入される方向において、第１突起部４４ａ、第２突起部４４ｂおよび第３突起部４４ｃが、この順に位置するように形成されている。
【００５４】
第２突起部４４ｂおよび第３突起部４４ｃは、頂点が接続される電極の表面を含む平面上に位置するように形成されている。すなわち、突起部の損傷がない場合には、第２突起部４４ｂおよび第３突起部４４ｃが、ＡＣアダプタの第２電極に接触するように形成されている。このように、本発明における第１板部および第２板部は、平板状に限られず、突起部が配置される表面が曲面でも構わない。
【００５５】
図８に、本実施の形態における第４の電源端子の概略斜視図を示す。第４の電源端子は、第１接点端子５ａと第２接点端子５ｂとを備える。第１接点端子５ａは、第１突起部４５ａを有する第１板部１５ａを含む。第２接点端子５ｂは、第２突起部４５ｂおよび第３突起部４５ｃを有する第２板部１５ｂを含む。
【００５６】
第１板部１５ａおよび第２板部１５ｂは、板状部材の側面形状が屈曲した形状を有する。第１突起部４５ａは、第１板部１５ａの折れ曲がった部分の近傍に配置されている。また、第２突起部４５ｂおよび第３突起部４３ｃは、第２板部１５ｂの折れ曲がった部分の近傍に配置されている。
【００５７】
第２突起部４５ｂおよび第３突起部４５ｃは、頂点が接続される電極の表面を含む平面上に位置するように形成されている。すなわち、突起部の損傷がない場合に、第２突起部４５ｂおよび第３突起部４５ｃが、ＡＣアダプタの第２電極に接触するように形成されている。
【００５８】
図９を参照して、本実施の形態における第５の電源端子について説明する。第５の電源端子においては、第１接点端子６ａが、第１板部１６ａを含み、第２接点端子６ｂが、第２板部１６ｂを含む。第１板部１６ａおよび第２板部１６ｂは、平面状に形成されている。第１板部１６ａには、第１突起部４６ａが形成されている。第２板部１６ｂには、第２突起部４６ｂおよび第３突起部４６ｃが形成されている。
【００５９】
第５の電源端子においては、それぞれの接点端子の側面形状がＶ字形には形成されておらず、側面形状が直線状に形成されている。第１板部１６ａまたは第２板部１６ｂは、第１接点端子６ａまたは第２接点端子６ｂにおいて、延びる平面状の部分から隆起するように形成されている。この構成を採用することにより、電源端子の構成をより簡単にすることができる。
【００６０】
その他の構成、作用および効果については、実施の形態１と同様であるのでここでは説明を繰返さない。
【００６１】
上記の実施の形態に係るそれぞれの図面において、同一または相当する部分には、同一の符号を付している。
【００６２】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【図面の簡単な説明】
【００６３】
【図１】実施の形態１における電源端子の概略斜視図である。
【図２】実施の形態１における電源端子の概略平面図である。
【図３】実施の形態１において、開口部にＡＣアダプタを挿入するときの概略断面図である。
【図４】実施の形態２における第１の電源端子の概略斜視図である。
【図５】実施の形態２における第１の電源端子の概略平面図である。
【図６】実施の形態２における第２の電源端子の概略平面図である。
【図７】実施の形態２における第３の電源端子の概略斜視図である。
【図８】実施の形態２における第４の電源端子の概略斜視図である。
【図９】実施の形態２における第５の電源端子の概略斜視図である。
【図１０】プリンタ装置にＡＣアダプタを挿入するときの概略斜視図である。
【図１１】従来の技術において、プリンタ装置にＡＣアダプタを挿入するときの概略断面図である。
【図１２】従来の技術に基づく電源端子の概略斜視図である。
【符号の説明】
【００６４】
１ａ〜６ａ  第１接点端子、１ｂ〜６ｂ  第２接点端子、１１ａ〜１６ａ  第１板部、１１ｂ〜１６ｂ  第２板部、２１  第１電極、２２  第２電極、２３  ＡＣアダプタ、２５  筐体、２６  電源コード、３１  第１接点端子、３２  第２接点端子、３３  突起部、３９  開口部、４１ａ〜４６ａ  第１突起部、４１ｂ〜４６ｂ  第２突起部、４１ｃ〜４６ｃ  第３突起部、４２ｄ，４３ｄ  第４突起部、５１  矢印、６１〜６４  線。
【図１】
2006221927.tif 000003
【図２】
2006221927.tif 000004
【図３】
2006221927.tif 000005
【図４】
2006221927.tif 000006
【図５】
2006221927.tif 000007
【図６】
2006221927.tif 000008
【図７】
2006221927.tif 000009
【図８】
2006221927.tif 000010
【図９】
2006221927.tif 000011
【図１０】
2006221927.tif 000012
【図１１】
2006221927.tif 000013
【図１２】
2006221927.tif 000014